(57)【要約】【課題】振動部の振動を妨げることなくスピーカ本体を固定し、かつ、部品点数の増加を抑制しながら、スピーカ本体のフランジを介して伝わる振動が筐体に伝達されるのを抑制することが可能なスピーカ装置を提供する。【解決手段】このスピーカ（スピーカ装置）１００は、振動部３２と、振動部３２の周囲に設けられる板状のフランジ部３１とを有するスピーカ本体３と、スピーカ本体３が取付けられるバッフル１と、バッフル１に取付けられるエンクロージャー２と、振動部３２を逃がす開口部４２を含むとともに、スピーカ本体３を固定する樹脂製の固定部材４とを備える。固定部材４は、スピーカ本体３の板状のフランジ部３１の少なくとも外周部の略全周をバッフル１と挟み込むようにして固定する。【選択図】図２
2009164825.tif 000002
【特許請求の範囲】
【請求項１】
振動部と、前記振動部の周囲に設けられる板状のフランジ部とを有するスピーカ本体と、
前記スピーカ本体が取り付けられる前側筐体と、
前記前側筐体に取り付けられる後側筐体と、
前記スピーカ本体の振動部を逃がすための開口部を含むとともに、前記スピーカ本体の板状のフランジ部の少なくとも外周部の略全周を前記前側筐体と挟み込むようにして固定する樹脂製の固定部材とを備える、スピーカ装置。
【請求項２】
前記固定部材は、前記スピーカ本体のフランジ部を取り囲むように前記前側筐体に向かって突出し、前記フランジ部を挟み込んだ状態で前記前側筐体と当接するように形成されたリブ部を一体的に含む、請求項１に記載のスピーカ装置。
【請求項３】
前記リブ部は、前記固定部材の外周部の略全周に渡って連続的に設けられている、請求項２に記載のスピーカ装置。
【請求項４】
前記固定部材は、前記リブ部の形状が前記フランジ部の外周部と略同一形状に形成されている、請求項３に記載のスピーカ装置。
【請求項５】
前記前側筐体は、前記スピーカ本体のフランジ部および前記固定部材が嵌まり込むように形成された凹部を含む、請求項１〜４のいずれか１項に記載のスピーカ装置。
【請求項６】
前記固定部材は、前記スピーカ本体に設けられた端子を逃がすための切欠部を含む、請求項１〜５のいずれか１項に記載のスピーカ装置。
【請求項７】
前記前側筐体と、前記スピーカ本体のフランジ部と、前記固定部材とが複数のネジ部材により固定されるように構成されている、請求項１〜６のいずれか１項に記載のスピーカ装置。
【発明の詳細な説明】
【技術分野】
【０００１】
この発明は、スピーカ装置に関し、特に、スピーカ本体が筐体に取り付けられるスピーカ装置に関する。
【背景技術】
【０００２】
従来、スピーカ本体が筐体に取り付けられるスピーカ装置が知られている（たとえば、特許文献１〜５参照）。
【０００３】
上記特許文献１には、１個または複数個のスピーカユニット（スピーカ本体）と、スピーカユニットをバッフル（前側筐体）に固定する金属製の取付具とを備えたスピーカシステム（スピーカ装置）が開示されている。このスピーカシステムの取付具には、ポートダクトや音響管が一体的に形成され、スピーカユニットが嵌め込まれる凹みが設けられている。そして、このスピーカシステムは、スピーカユニットの全体が取付具の凹みに覆われ、取付具がスピーカユニットの後部と接触した状態で、スピーカユニットをバッフルに押圧するように構成されている。
【０００４】
また、上記特許文献２には、スピーカフレームのガスケット部分（フランジ部）と接触するベース板部と、ベース板部がスピーカの後方に配置された取付基材との間でスピーカ（スピーカ本体）を挟み込んだ状態で取付基材（後側筐体）に係合することが可能なフック部とを一体的に備えるスピーカ取付ブラケットが開示されている。このブラケットは、スピーカの前方から取り付けられる。
【０００５】
また、上記特許文献３には、スピーカユニット（スピーカ本体）と、スピーカユニットが取り付けられる支持部材と、支持部材を粘弾性体を介して支持するバッフル板（前側筐体）と、支持部材をバネを介して支持するエンクロージャ（後側筐体）とを備えたスピーカキャビネット（スピーカ装置）が開示されている。このスピーカキャビネットの支持部材は、粘弾性体とバネとにより不要な振動を抑制するように構成されている。
【０００６】
また、上記特許文献４には、スピーカ（スピーカ本体）と、フロントパネル（前側筐体）と、脚部およびブリッジ部によって、スピーカを跨ぐような門型形状に形成されたブラケットとを備えたスピーカユニット組立体（スピーカ装置）が開示されている。このスピーカユニット組立体は、スピーカのハウジング（フランジ部）と、門型ブラケットの脚部の下端とが共通のネジでフロントパネルに取り付けられるように構成されており、門型ブラケットの脚部はスピーカのハウジングの一部（ネジの取付部分）とのみ接触している。
【０００７】
また、上記特許文献５には、スピーカユニット（スピーカ本体）と、スピーカ取付板（前側筐体）と、スピーカユニットとスピーカ取付板との間に介在されるばね部材とを備えたスピーカ取付装置（スピーカ装置）が開示されている。このスピーカ取付装置のばね部材は、スピーカユニットとスピーカ取付板との間に介在された状態で、スピーカユニットをスピーカユニットの振動方向に対して直交する方向に支持するように形成されている。
【０００８】
【特許文献１】特開平１１−４１６８１号公報
【特許文献２】特開２００３−２７４４７３号公報
【特許文献３】特開平５−３４４５７５号公報
【特許文献４】特開平７−２１２８８５号公報
【特許文献５】実公昭６１−８７１２号公報
【発明の開示】
【発明が解決しようとする課題】
【０００９】
しかしながら、上記特許文献１に記載のスピーカシステムでは、スピーカユニットの全体が取付具に覆われた状態で、スピーカユニットの後部が取付具と接触する構造であるため、スピーカの振動が妨げられるという問題点がある。
【００１０】
また、上記特許文献２に記載のスピーカ取付ブラケットでは、スピーカが後方の取付基材にフックで引っ掛けて固定されているに過ぎない。このため、スピーカから発生する振動が取付基材に伝達されるのを抑制することが困難であるという問題点があると考えられる。
【００１１】
また、上記特許文献３に記載のスピーカキャビネットでは、支持部材に加えて粘弾性体とバネとが複数設けられているので、部品点数が増加するという問題点がある。
【００１２】
また、上記特許文献４に記載のスピーカユニット組立体では、門型ブラケットはネジにより固定された脚部がスピーカのハウジングの一部とのみ接触するため、接触面積が小さい。このことから、スピーカのハウジングを介して伝わる振動がフロントパネルに伝達されるのを抑制することが困難であるという問題点がある。
【００１３】
また、上記特許文献５に記載のスピーカ取付装置では、主として前後方向に振動するスピーカユニットを、スピーカユニットとスピーカ取付板との間に介在されるばね部材が振動方向と直交する方向から支持するため、スピーカユニットを十分に固定できないという不都合がある。このため、スピーカユニットから発生する振動が、スピーカ取付板に伝達されるのを抑制することが困難であるという問題点があると考えられる。
【００１４】
この発明は、上記のような課題を解決するためになされたものであり、この発明の１つの目的は、振動部の振動を妨げることなくスピーカ本体を固定し、かつ、部品点数の増加を抑制しながら、スピーカ本体のフランジを介して伝わる振動が筐体に伝達されるのを抑制することが可能なスピーカ装置を提供することである。
【課題を解決するための手段および発明の効果】
【００１５】
この発明の一の局面によるスピーカ装置は、振動部と、振動部の周囲に設けられる板状のフランジ部とを有するスピーカ本体と、スピーカ本体が取り付けられる前側筐体と、前側筐体に取り付けられる後側筐体と、スピーカ本体の振動部を逃がすための開口部を含むとともに、スピーカ本体の板状のフランジ部の少なくとも外周部の略全周を前側筐体と挟み込むようにして固定する樹脂製の固定部材とを備える。
【００１６】
この一の局面によるスピーカ装置では、上記のように、スピーカ本体のフランジ部の略全周を前側筐体と樹脂製の固定部材とによって挟み込んで固定することにより、固定部材とフランジ部、およびフランジ部と前側筐体との接触面積を大きくすることができるので、スピーカ本体のフランジ部を介して伝わる振動が筐体に伝達されるのを効果的に抑制することができる。また、固定部材に振動部を逃がすための開口部を設けることによって、振動部を開放した状態で固定部材がフランジ部と接して固定することができるので、振動部の振動を妨げることなくスピーカ本体を固定することができる。また、樹脂製の固定部材をスピーカ本体のフランジ部の略全周を挟み込むようにして固定する構造にすることによって、樹脂製の固定部材により振動を吸収することができるので、粘弾性体やバネを別途設ける必要がない。その結果、部品点数が増加するのを抑制することができる。
【００１７】
上記一の局面によるスピーカ装置において、好ましくは、固定部材はスピーカ本体のフランジ部を取り囲むように前側筐体に向かって突出し、フランジ部を挟み込んだ状態で前側筐体と当接するように形成されたリブ部を一体的に含む。このように構成すれば、リブ部により固定部材を補強すると共に、前側筐体にフランジ部だけでなく固定部材も接触させることができる。これにより、固定部材の破損や変形を抑止し、かつ、前側筐体にフランジ部と固定部材との両方を接触させることができるので、効果的に振動を抑制することができる。
【００１８】
この場合において、好ましくは、リブ部は、固定部材の外周部の略全周に渡って連続的に設けられている。このように構成すれば、固定部材の外周部において、リブ部を設けることによる補強と、前側筐体とリブ部との接触が、固定部材の略全周に渡って均一になされる。これにより、固定部材による振動の抑制を、偏りなく均一に行うことができる。
【００１９】
この場合において、好ましくは、固定部材は、リブ部の形状がフランジ部の外周部と略同一形状に形成されている。このように構成すれば、リブ部がフランジ部の外周部の全周を取り囲んだ状態で前側筐体と当接するので、スピーカ本体のフランジ部の外周部を密閉した状態で固定することができる。これにより、スピーカ装置の密閉度を向上させることができる。
【００２０】
上記一の局面によるスピーカ装置において、好ましくは、前側筐体は、スピーカ本体のフランジ部および固定部材が嵌まり込むように形成された凹部を含む。このように構成すれば、フランジ部および固定部材が前側筐体に取り付けられた場合に、凹部の内側面と固定部材の外側面との間の密閉度が向上するので、その分、スピーカ装置の密閉度をさらに向上させることができる。
【００２１】
上記一の局面によるスピーカ装置において、好ましくは、固定部材は、スピーカ本体に設けられた端子を逃がすための切欠部を含む。このように構成すれば、通常、スピーカ本体から突出するように設けられる端子と固定部材とが干渉することなく固定部材によりスピーカ本体が固定されるので、スピーカ本体への端子接続を容易に行うことができる。
【００２２】
上記一の局面によるスピーカ装置において、好ましくは、前側筐体と、フランジ部と、固定部材とが複数のネジ部材により固定されるように構成されている。このように構成すれば、前側筐体とフランジ部と固定部材とをより強固に固定することができるので、振動が筐体に伝達されるのをより効果的に抑制することができる。
【発明を実施するための最良の形態】
【００２３】
以下、本発明を具体化した実施形態を図面に基づいて説明する。
【００２４】
図１は、本発明の一実施形態によるスピーカの全体構成を示した斜視図である。また、図２〜図１０は、図１に示した本発明の一実施形態によるスピーカの詳細な構造を示した図である。まず、図１〜図１０を参照して、本発明の一実施形態によるスピーカ１００の構成について説明する。なお、本実施形態では、スピーカ装置の一例である密閉型のスピーカ１００に本発明を適用した場合について説明する。
【００２５】
本発明の一実施形態による密閉型のスピーカ１００は、図１および図２に示すように、樹脂製のバッフル１と、バッフル１と同一の樹脂材料により形成されるエンクロージャー２と、スピーカ本体３と、樹脂製の固定部材４と、バッフル１、スピーカ本体３および固定部材４を固定する４つのネジ５と、ネジ５に対応する４つのナット６と、バッフル１とエンクロージャー２とを固定するための４つのネジ７とから構成されている。なお、バッフル１およびエンクロージャー２は、それぞれ、本発明の「前側筐体」および「後側筐体」の一例である。また、４つのネジ５および４つのナット６は、本発明の「ネジ部材」の一例である。
【００２６】
スピーカ１００のバッフル１には、図２および図３に示すように、前面部１０と、側壁部１１と、エンクロージャー２との接合部１２と、補強部１３と、スピーカ本体取付穴１４と、スピーカ本体を固定するための４つのネジ挿入穴１５と、エンクロージャーを取り付けるための４つのネジ挿入穴１６と、面取部１７と、曲面部１８とが設けられている。
【００２７】
また、前面部１０は図４に示すように、正面から見て四角形状を有している。また、バッフル１の側壁部１１は、図２に示すように、前面部１０からエンクロージャー２に向かって突出するように形成されている。バッフル１の接合部１２は、図３に示すように、バッフル１の側壁部１１のエンクロージャー２側の端面の全周に渡って一体的に設けられており、平坦面上に三角形の凸形状（図５参照）を有している。また、図５に示すように、このバッフル１の接合部１２と、後述するエンクロージャー２の接合部２３とは、全面接触した状態で取り付けられるように構成されている。バッフル１の四隅近傍には、円形状の４つのネジ挿入穴１６が形成されている。また、バッフル１の四隅近傍には、面取部１７が形成されている。また、図３および図５に示すように、バッフル１の内側面の角部には、曲面部１８が形成されている。
【００２８】
ここで、本実施形態では、図３に示すように、バッフル１の前面部１０の裏面側には、後述するスピーカ本体３のフランジ部３１と固定部材４とを嵌め込むための凹部１０ａが設けられている。この凹部１０ａは、図５に示すように、バッフル１の後方（矢印Ｘ１方向）から後述するスピーカ本体３のフランジ部３１と固定部材４とが嵌まり込むように、固定部材４と略同じ大きさの四角形状を有している。また、前面部１０の表面側には、図１、図４および図５に示すように、凹部１０ａを設けたことによるバッフル１の強度低下を防止するために補強部１３が一体的に形成されている。この補強部１３は、裏面側の凹部１０ａに対応するように、正面（矢印Ｘ２方向側）から見て四角形状に形成されている。また、補強部１３には、スピーカ本体３を取付けるための円形状のスピーカ本体取付穴１４と、スピーカ本体３および固定部材４を固定するための円形状の４つのネジ挿入穴１５とが形成されている。
【００２９】
また、図２および図３に示すように、エンクロージャー２には、後面部２１と、側壁部２２と、接合部２３と、バッフル１を取り付けるための４つのネジ取付穴２４と、曲面部２５とが設けられている。
【００３０】
また、図２および図５に示すように、エンクロージャー２の接合部２３は、エンクロージャー２の側壁部２２のバッフル１側の端面の全周に渡って一体的に設けられ、バッフル１の接合部１２に対応して三角形の凹形状を有している。また、エンクロージャー２の四隅近傍には、円形状の４つのネジ取付穴２４がバッフル１の４つのネジ挿入穴１６に対応して形成されている。エンクロージャー２の４つのネジ取付穴２４は、ネジ７がバッフル１のネジ挿入穴１６を介して締結可能に形成されている。これにより、バッフル１とエンクロージャー２とが、ネジ７によって取付けられるように構成されている。また、エンクロージャー２の内側面の角部には、曲面部２５が形成されている。
【００３１】
また、スピーカ本体３は、図２および図３に示すように、フランジ部３１と、図示しないボイスコイルやフレームなどからなる振動部３２と、一対の端子３３とから構成されている。また、フランジ部３１は、正面（矢印Ｘ２方向側）から見て、四角形状を有している。また、フランジ部３１は、平板形状を有している。また、フランジ部３１を正面（矢印Ｘ２方向側）から見た際のフランジ部３１の４隅近傍には、円形状の４つのネジ挿入穴３１ａが形成されている。また、４つのネジ挿入穴３１ａは、バッフル１のネジ挿入穴１５および後述する固定部材４のネジ挿入穴４４に対応するように配置されている。このため、ネジ５がバッフル１のネジ挿入穴１５、ネジ挿入穴３１ａ、後述する固定部材４のネジ挿入穴４４に挿入され、ナット６により締結されることによって、スピーカ本体３が固定されるように構成されている。また、図３および図５に示すように、一対の端子３３は、スピーカ本体３においてフランジ部３１よりも後方（矢印Ｘ１方向）で外側に突出するように形成されている。
【００３２】
また、固定部材４には、図８〜図１０に示すように、リブ部４１と、スピーカ本体３の振動部３２を逃がすための開口部４２と、スピーカ本体３の一対の端子３３を逃がすための切欠部４３と、４つのネジ挿入穴４４とが設けられている。
【００３３】
また、本実施形態では、図２に示すように、固定部材４は、スピーカ本体３のフランジ部３１の裏面側（矢印Ｘ１方向側）の全面と接触できるように、正面（矢印Ｘ２方向側）から見てバッフル部３１に対応した四角形状（図９参照）を有している。そして、図５およびに図６に示すように、固定部材４は、スピーカ本体３と共にバッフル１に取付けられた際にフランジ部３１を挟み込むように構成されている。また、図８および図９に示すように、固定部材４には、外周部の全周に渡って連続的にリブ部４１が一体的に形成されている。
【００３４】
また、本実施形態では、図８〜図１０に示すように、固定部材４の開口部４２は、振動部３２の形状に対応して、正面（矢印Ｘ２方向側）からみて略円形状を有している。また、固定部材４の切欠部４３は、スピーカ本体３における端子３３の位置に対応して、開口部４２の上側に開口部４２と一体的に形成され、矩形状を有している。この切欠部４３は、端子３３を逃がすのに十分な大きさを有している。また、図２および図３に示すように、４つのネジ挿入穴４４は、バッフル１のネジ挿入穴１５およびスピーカ本体３のネジ挿入穴３１ａに対応する位置に形成されている。そして、図３および図６に示すように、バッフル１の側（矢印Ｘ２方向側）からネジ５を挿入し、バッフル１のネジ挿入穴１５、フランジ部３１のネジ挿入穴３１ａ、固定部材４のネジ挿入穴４４を通り、固定部材４の後方（矢印Ｘ１方向側）からナット６により締結されるように構成されている。
【００３５】
また、本実施形態では、図２に示すように、リブ部４１は、バッフルの方向（矢印Ｘ２方向）に向かって突出し、フランジ部３１の四角形状の外周部を略同一形状（四角形状）で取り囲むようにして、固定部材４と一体的に形成されている。また、図５および図６に示すように、リブ部４１は、固定部材４がフランジ部３１を挟み込んだ状態で、バッフル１の凹部１０ａと端面４１ａ（図８参照）で当接するように形成されている。このため、リブ部４１はフランジ部３１を取り囲んだ状態で、端面４１ａの全面でバッフルと当接することとなる。
【００３６】
本実施形態では、上記のように、スピーカ本体３のフランジ部３１の略全周をバッフル１と樹脂製の固定部材４とによって挟み込んで固定することによって、固定部材４とフランジ部３１、およびフランジ部３１とバッフル１との接触面積を大きくすることができるため、スピーカ本体３のフランジ部３１を介して伝わる振動がバッフル１に伝達されるのを効果的に抑制することができる。また、固定部材４に振動部３２を逃がすための開口部４２を設けることによって、振動部３２を開放した状態で固定部材４がフランジ部３１と接して固定することができるので、振動部３２の振動を妨げることなくスピーカ本体３を固定することができる。また、樹脂製の固定部材４をスピーカ本体３のフランジ部３１の略全周を挟み込むようにして固定する構造にすることによって、樹脂製の固定部材４により振動を吸収することができるので、粘弾性体やバネを別途設ける必要がない。その結果、部品点数が増加するのを抑制することができる。
【００３７】
また、本実施形態では、上記のように、固定部材４はスピーカ本体３のフランジ部３１を取り囲むようにバッフル１に向かって突出し、フランジ部３１を挟み込んだ状態でバッフル１と当接するように形成されたリブ部４１を一体的に含むように構成することによって、リブ部４１により固定部材４を補強すると共に、バッフル１にフランジ部３１だけでなく固定部材４も接触させることができる。これにより、固定部材４の破損や変形を抑止し、かつ、バッフル１にフランジ部３１と固定部材４との両方を接触させることができるので、効果的に振動を抑制することができる。
【００３８】
また、本実施形態では、上記のように、リブ部４１は、固定部材４の外周部の略全周に渡って連続的に設けられていることによって、固定部材４の外周部において、リブ部４１を設けることによる補強と、バッフル１とリブ部４１との接触が、固定部材４の略全周に渡って均一になされる。これにより、固定部材４による振動の抑制を偏りなく均一に行うことができる。
【００３９】
また、本実施形態では、上記のように、固定部材４は、リブ部４１の形状がフランジ部３１の外周部と略同一形状に形成されていることによって、リブ部４１がフランジ部３１の外周部の全周を取り囲んだ状態でバッフル１と当接するので、スピーカ本体３のフランジ部３１の外周部を密閉した状態で固定することができる。これにより、スピーカ１００の密閉度を向上させることができる。
【００４０】
また、本実施形態では、上記のように、バッフル１は、スピーカ本体３のフランジ部３１および固定部材４が嵌まり込むように形成された凹部１０ａを含むように構成することによって、フランジ部３１および固定部材４がバッフル１に取り付けられた場合に、凹部１０ａの内側面と固定部材４の外側面との間の密閉度が向上するので、その分、スピーカ１００の密閉度をさらに向上させることができる。
【００４１】
また、本実施形態では、上記のように、固定部材４は、スピーカ本体３に設けられた端子３３を逃がすための切欠部４３を含むように構成することによって、スピーカ本体３から突出するように設けられた端子３３と固定部材４とが干渉することなく固定部材４によりスピーカ本体３が固定されるので、スピーカ本体３への端子接続を容易に行うことができる。
【００４２】
また、本実施形態では、上記のように、バッフル１と、スピーカ本体３のフランジ部３１と、固定部材４とが４つのネジ５および４つのナット６により固定されるように構成されていることによって、バッフル１とフランジ部３１と固定部材４とをより強固に固定することができるので、振動がバッフル１に伝達されるのをより効果的に抑制することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、本発明のスピーカ装置の一例として密閉型のスピーカを示したが、本発明はこれに限らず、密閉型以外のスピーカにも適用可能である。
【００４５】
また、上記実施形態では、図１に示すように、バッフル１の側壁部１１の矢印Ｘ方向の長さＬ１と、エンクロージャー２の側壁部２２の矢印Ｘ方向の長さＬ２とが略等しい長さを有する例を示したが、本発明はこれに限らず、Ｌ１とＬ２とが等しい必要はない。したがって、図１１および図１２に示す第１変形例のように、バッフル１の側壁部１０１を短く形成し、バッフル１が平板状の形状を有してもよい。
【００４６】
また、上記実施形態では、図２に示すように、スピーカ本体３のフランジ部３１は正面（矢印Ｘ２方向側）から見て、四角形状を有する例を示したが、本発明はこれに限らず、フランジ部の形状が、円形状など異なる形状を有していてもよい。この場合には、固定部材のリブ部の形状もフランジ部の形状に合わせるのが好ましい。
【００４７】
また、上記実施形態では、図２に示すように、固定部材４がフランジ部３１の全周をバッフル１と挟み込めるように、正面（矢印Ｘ２方向側）から見て、四角形状を有する例を示したが、本発明はこれに限らず、振動部を逃がすための開口部を含む固定部材がフランジ部の外周部の略全周をバッフル１と挟み込むように構成されていればよい。したがって、図１３に示す第２変形例のように、固定部材４１０が枠型の形状を有するように構成されていてもよい。ここで、固定部材４１０には、開口部４１２が形成されており、外周部にリブ部４１１が設けられ、四隅近傍にネジ挿入穴４１３が設けられている。また、図１４に示す第３変形例のように、第一固定部材４２０ａおよび第二固定部材４２０ｂを設け、固定部材が複数に分割されるように構成されていてもよい。ここで、第一固定部材４２０ａには、リブ部４２１ａと、開口部４２２ａと、切欠部４２３ａと、ネジ挿入穴４２４ａが設けられている。同様に、第二固定部材４２０ｂには、リブ部４２１ｂと、開口部４２２ｂと、切欠部４２３ｂと、ネジ挿入穴４２４ｂが設けられている。
【００４８】
また、上記実施形態では、図８に示すように、固定部材４の矩形状の切欠部４３が開口部４２と一体的に形成されている例を示したが、本発明はこれに限らず、切欠部がスピーカ本体の端子を逃がすように構成されていればよい。したがって、固定部材において、切欠部は単独で設けられていてもよいし、また、切欠部の形状がたとえば円形状に形成されていてもよい。
【図面の簡単な説明】
【００４９】
【図１】本発明の一実施形態によるスピーカの全体構成を示す斜視図である。
【図２】本発明の一実施形態によるスピーカの全体構成を前方から示す分解斜視図である。
【図３】本発明の一実施形態によるスピーカの全体構成を後方から示す分解斜視図である。
【図４】本発明の一実施形態によるスピーカの正面図である。
【図５】本発明の一実施形態によるスピーカのバッフルとエンクロージャーとが組み合わされる前の状態における、図４の２００−２００線に沿った断面図である。
【図６】本発明の一実施形態によるスピーカのバッフルとエンクロージャーとが組み合わされる前の状態における、図４の３００−３００線に沿った断面図である。
【図７】本発明の一実施形態によるスピーカのバッフル内部を後方から示す斜視図である。
【図８】本発明の一実施形態によるスピーカの固定部材を示す斜視図である。
【図９】本発明の一実施形態によるスピーカの固定部材を示す正面図である。
【図１０】本発明の一実施形態によるスピーカの固定部材を示す、図９の４００−４００線に沿った断面図である。
【図１１】本発明の一実施形態によるスピーカの第１変形例を前方から示す斜視図である。
【図１２】本発明の一実施形態によるスピーカの第１変形例を前方から示す分解斜視図である。
【図１３】本発明の一実施形態によるスピーカの第２変形例の固定部材を示す斜視図である。
【図１４】本発明の一実施形態によるスピーカの第３変形例の固定部材を示す斜視図である。
【符号の説明】
【００５０】
１                                  バッフル（前側筐体）
２                                  エンクロージャー（後側筐体）
３                                  スピーカ本体
４、４１０，４２０ａ、４２０ｂ      固定部材
５                                  ネジ（ネジ部材）
６                                  ナット（ネジ部材）
１０ａ                              凹部
３１                                フランジ部
３２                                振動部
３３                                端子
４１、４１１、４２１ａ、４２１ｂ    リブ部
４２、４１２、４２２ａ、４２２ｂ    開口部
４３、４２３ａ、４２３ｂ            切欠部
１００                              スピーカ（スピーカ装置）
【図１】
2009164825.tif 000003
【図２】
2009164825.tif 000004
【図３】
2009164825.tif 000005
【図４】
2009164825.tif 000006
【図５】
2009164825.tif 000007
【図６】
2009164825.tif 000008
【図７】
2009164825.tif 000009
【図８】
2009164825.tif 000010
【図９】
2009164825.tif 000011
【図１０】
2009164825.tif 000012
【図１１】
2009164825.tif 000013
【図１２】
2009164825.tif 000014
【図１３】
2009164825.tif 000015
【図１４】
2009164825.tif 000016